(57)【要約】【課題】切断部の揺動に起因する被照光領域の変化を抑制し、作業性を向上させることが可能な切断機を提供する。【解決手段】切断刃Ｐを装着可能な切断部７と、被加工材を載置可能な載置面２Ａを有するベース部２と、切断部７を第１方向に延びる軸心Ｂを中心に載置面２Ａに対して近接及び離間するように揺動可能に支持する切断部支持部４と、切断部支持部４に設けられ載置面２Ａに向けて光を照射可能な照明部５と、を備えている。さらに、照明部５は、載置面２Ａと直交する第２方向において、軸心Ｂに関してベース部２と反対側に位置している。【選択図】図１
2020185735.tif 000002
【特許請求の範囲】
【請求項１】
切断刃を装着可能な切断部と、
被加工材を載置可能な載置面を有するベース部と、
前記切断部を第１方向に延びる揺動軸心を中心に前記載置面に対して近接及び離間するように揺動可能に支持する切断部支持部と、
前記切断部支持部に設けられ前記載置面に向けて光を照射可能な照明部と、を備え、
前記照明部は、前記載置面と直交する第２方向において、前記揺動軸心に関して前記ベース部と反対側に位置することを特徴とする切断機。
【請求項２】
前記切断部支持部は、前記切断部を前記載置面に対して前記第１方向と交差する第３方向に移動可能に支持する第１支持部を有することを特徴とする請求項１に記載の切断機。
【請求項３】
前記照明部は、前記第１支持部に設けられていることを特徴とする請求項２に記載の切断機。
【請求項４】
前記第１支持部は、前記第３方向に延びるとともに前記切断部を前記載置面に対して前記第３方向に移動可能に支持する少なくとも２本の軸部材と、前記少なくとも２本の軸部材を連結する連結部と、を有し、
前記照明部は、前記連結部に設けられていることを特徴とする請求項３に記載の切断機。
【請求項５】
前記切断部支持部は、前記第１支持部に対して前記第３方向に摺動可能に設けられた第２支持部をさらに有し、
前記第２支持部は、前記切断部を前記揺動軸心を中心に前記載置面に対して近接及び離間するように揺動可能に支持し、
前記切断部は、前記第２支持部が前記第１支持部に対して摺動することによって前記載置面に対して前記第３方向に移動し、
前記照明部は、前記第２支持部に設けられていることを特徴とする請求項２に記載の切断機。
【請求項６】
前記照明部に接続され前記照明部に電力を供給するための配線と、
前記第１支持部に設けられ前記配線を支持する配線支持部と、をさらに備えていることを特徴とする請求項２乃至５のいずれか一項に記載の切断機。
【請求項７】
前記切断部に装着された前記切断刃を回転駆動させるためのモータと、
前記モータの電力源と接続可能な第１電源接続部と、
前記モータの電力源とは異なる前記照明部の電力源と接続可能な第２電源接続部と、をさらに備えていることを特徴とする請求項１乃至６のいずれか一項に記載の切断機。
【発明の詳細な説明】
【技術分野】
【０００１】
本発明は切断機に関する。
【背景技術】
【０００２】
従来、木材等の被加工材を切断するために切断工具が広く用いられている。このような切断工具としては、例えば、特許文献１に記載の卓上丸鋸が知られている。特許文献１に記載の卓上丸鋸は、切断刃を装着可能な切断部と、被加工材を載置可能な載置面を有するベース部と、切断部を載置面に対して近接及び離間するように揺動可能に支持する切断部支持部と、を備えている。また、切断部には、載置面に向けて光を照射可能な照明部が設けられている。
【０００３】
上記の卓上丸鋸を用いた切断作業においては、作業者は被加工材を載置面に載置し、切断部を載置面に対して近接させるように揺動させることで被加工材を切断する。
【先行技術文献】
【特許文献】
【０００４】
【特許文献１】特開２０１６-２０９９３９号公報
【発明の概要】
【発明が解決しようとする課題】
【０００５】
上記の卓上丸鋸においては、照明部が切断部に設けられているため、切断部を揺動させると、照明部も切断部と一体に揺動し、照明部の載置面（ベース部）に対する位置も変化する。このため、切断部の揺動に起因して、被照光領域（載置面及び載置面に載置された被加工材の表面のうちの照明部から照射された光によって照らされる領域）が変化してしまい、作業性が低下するという問題があった。例えば、被加工材を切断するために切断部を載置面に近接するように揺動させた際には、照明部も載置面に対して近接して被照光領域が縮小してしまうため、被加工材の視認性が低下し、作業性が低下してしまっていた。
【０００６】
そこで本発明は、切断部の揺動に起因する被照光領域の変化を抑制し、作業性を向上させることが可能な切断機を提供することを目的とする。
【課題を解決するための手段】
【０００７】
上記課題を解決するために本発明は、切断刃を装着可能な切断部と、被加工材を載置可能な載置面を有するベース部と、前記切断部を第１方向に延びる揺動軸心を中心に前記載置面に対して近接及び離間するように揺動可能に支持する切断部支持部と、前記切断部支持部に設けられ前記載置面に向けて光を照射可能な照明部と、を備え、前記照明部は、前記載置面と直交する第２方向において、前記揺動軸心に関して前記ベース部と反対側に位置することを特徴とする切断機を提供している。
【０００８】
上記の構成によれば、切断部が揺動軸心を中心に載置面に対して揺動する際に、照射部の光の照射範囲が変化することを抑制し、作業性を向上させることができる。また、照明部が揺動軸心に関してベース部と反対側に位置することにより、照明部が揺動軸心に関してベース部側に設けられる場合と比較して、照射部の光の照射範囲を広くすることができるため、作業性を更に向上させることができる。
【０００９】
上記構成において、前記切断部支持部は、前記切断部を前記載置面に対して前記第１方向と交差する第３方向に移動可能に支持する第１支持部を有することが好ましい。
【００１０】
上記構成において、前記照明部は、前記第１支持部に設けられていることが好ましい。
【００１１】
上記の構成によれば、切断部が揺動軸心を中心に載置面に対して揺動する際に、照射部の光の照射範囲が変化することを抑制し、作業性を向上させることができる。
【００１２】
上記構成において、前記第１支持部は、前記第３方向に延びるとともに前記切断部を前記載置面に対して前記第３方向に移動可能に支持する少なくとも２本の軸部材と、前記少なくとも２本の軸部材を連結する連結部と、を有し、前記照明部は、前記連結部に設けられていることが好ましい。
【００１３】
上記の構成によれば、軸部材が１本のみの場合と比較して安定して切断部を支持することができる。
【００１４】
上記構成において、前記切断部支持部は、前記第１支持部に対して前記第３方向に摺動可能に設けられた第２支持部をさらに有し、前記第２支持部は、前記切断部を前記揺動軸心を中心に前記載置面に対して近接及び離間するように揺動可能に支持し、前記切断部は、前記第２支持部が前記第１支持部に対して摺動することによって前記載置面に対して前記第３方向に移動し、前記照明部は、前記第２支持部に設けられていることが好ましい。
【００１５】
上記の構成によれば、切断部の揺動に伴う被照光領域の変化を抑制できるため、作業性を向上させることができる。
【００１６】
上記構成において、前記照明部に接続され前記照明部に電力を供給するための配線と、前記第１支持部に設けられ前記配線を支持する配線支持部と、をさらに備えていることが好ましい。
【００１７】
上記構成において、前記切断部に装着された前記切断刃を回転駆動させるためのモータと、前記モータの電力源と接続可能な第１電源接続部と、前記モータの電力源とは異なる前記照明部の電力源と接続可能な第２電源接続部と、をさらに備えていることが好ましい。
【００１８】
上記の構成によれば、モータの電力源が使用不可能な場合（例えば、卓上丸鋸の電源コードのコンセントプラグを交流電源に接続していない状態で、卓上丸鋸を運搬する場合等）でも、照明部の電力源が接続されていれば、照明部から光を照射することができ、作業性を向上させることができる。
【発明の効果】
【００１９】
本発明によれば、切断部の揺動に起因する被照光領域の変化を抑制し、作業性を向上させることが可能な切断機を提供することができる。
【図面の簡単な説明】
【００２０】
【図１】本発明の第１の実施の形態に係る卓上丸鋸の外観を示す左側面図である。
【図２】本発明の第１の実施の形態に係る卓上丸鋸の外観を示す正面図である。
【図３】本発明の第１の実施の形態の卓上丸鋸の電気的構成を示すブロック図である。
【図４】本発明の第１の実施の形態に係る卓上丸鋸の外観を示す正面図であり、ホルダが傾動した状態を示している。
【図５】本発明の第１の実施の形態に係る卓上丸鋸の外観を示す左側面図であり、切断部がベース部に対して近接するように揺動した状態を示している。
【図６】本発明の第１の実施の形態に係る卓上丸鋸の外観を示す左側面図であり、切断部が載置面に対して前方に移動した状態を示している。
【図７】本発明の第２の実施の形態に係る卓上丸鋸の外観を示す左側面図である。
【図８】本発明の第２の実施の形態に係る卓上丸鋸の外観を示す正面図である。
【図９】本発明の第３の実施の形態に係る卓上丸鋸の外観を示す左側面図である。
【図１０】本発明の第３の実施の形態に係る卓上丸鋸の外観を示す正面図である。
【発明を実施するための形態】
【００２１】
本発明の実施の形態による切断機について、図１乃至図１０を参照しながら説明する。最初に、本発明の第１の実施の形態による切断機の一例である卓上丸鋸１について図１乃至図６を参照しながら説明する。
【００２２】
卓上丸鋸１は、木材等（被加工材）を切断するための電動式の切断機であり、図１及び図２に示されるように、被加工材を載置可能な載置面２Ａを有するベース部２と、ホルダ３と、切断部支持部４と、照明部５と、配線支持部６と、切断刃Ｐを着脱可能な切断部７と、モータ８と、を備えている。なお、詳細は後述するが、ホルダ３、切断部支持部４、照明部５、配線支持部６、及び切断部７は、載置面２Ａに対して左右方向に一体に傾動可能に構成されており、切断部７は、載置面２Ａ（ベース部２）に対して近接及び離間するように揺動可能に且つ載置面２Ａに対して前後方向に移動可能に切断部支持部４に支持されている。
【００２３】
以下の説明においては、図１に示されている「上」を上方向、「下」を下方向、「前」を前方向、「後」を後方向と定義する。また、図１において紙面奥から紙面手前に向かう方向を左方向、紙面手前から紙面奥に向かう方向を右方向と定義する。また、以下においては、特に言及しない限り、切断部７が載置面２Ａに対して傾動及び揺動していない状態を基準に説明する。
【００２４】
図１及び図２に示されているように、ベース部２は、ベース２１と、ターンテーブル２２と、フェンス部２３と、操作部２４と、傾動軸２５と、傾動位置調整機構２６と、を有している。
【００２５】
ベース２１は、床面等に接地される金属製の部分であり、中央円形部２１Ａと、左脚部２１Ｂと、右脚部２１Ｃと、を有している。
【００２６】
中央円形部２１Ａは、図２に示されているように、ベース２１の左右方向中央部を構成する部分であり、ターンテーブル２２の下方に位置している。中央円形部２１Ａは、平面視略円形状をなしており、中央円形部２１Ａの平面視略中央には、上下方向に延びる図示せぬ回転軸が設けられている。
【００２７】
左脚部２１Ｂ及び右脚部２１Ｃは、中央円形部２１Ａの左部及び右部にそれぞれ接続されている。左脚部２１Ｂ及び右脚部２１Ｃの上下方向の寸法は、中央円形部２１Ａの上下方向の寸法よりも大きく構成されており、左脚部２１Ｂの右側面、右脚部２１Ｃの左側面、中央円形部２１Ａの上面等によって、ターンテーブル２２を収容する収容空間が画成されている。また、左脚部２１Ｂの上面及び右脚部２１Ｃの上面には、左載置面２１Ｄ及び右載置面２１Ｅがそれぞれ規定されている。
【００２８】
ターンテーブル２２は、金属製であり、平面視略円形状をなしている。ターンテーブル２２は、ベース２１に画成された上述の収容空間に収容された状態で上述の回転軸を介して中央円形部２１Ａに接続されており、ベース２１に対して当該回転軸を中心に平面視時計回り及び反時計回りに回転可能である。ターンテーブル２２の上面２２Ａの上下方向の位置（高さ）は、左脚部２１Ｂの左載置面２１Ｄ及び右脚部２１Ｃの右載置面２１Ｅの上下方向の位置と略一致しており、ターンテーブル２２の上面２２Ａ、左載置面２１Ｄ、及び右載置面２１Ｅによって載置面２Ａが規定されている。また、ベース２１及びターンテーブル２２には、切断作業時に切断部７が載置面２Ａに近接するように揺動した際に、切断部７に装着された切断刃Ｐの進入を許容する図示せぬ溝部が形成されている。
【００２９】
操作部２４は、ターンテーブル２２のベース２１に対する回転位置を変更及び固定する際にユーザが操作する部分であり、図１に示されているように、ターンテーブル２２の前部から前方に延びている。
【００３０】
傾動軸２５は、図２に示されているように、ターンテーブル２２の後部に設けられており、前後方向に延びている。傾動軸２５の軸心の上下方向の位置は、ターンテーブル２２の上面２２Ａの上下方向の位置と一致している。
【００３１】
傾動位置調整機構２６は、ホルダ３の載置面２Ａに対する傾動位置、すなわち、切断部７の載置面２Ａに対する傾動位置（言い換えれば、切断部７に装着された切断刃Ｐの側面と載置面２Ａとの角度）を変更及び固定するための機構であり、ターンテーブル２２の後端部に設けられている。傾動位置調整機構２６は、突出部２６Ａ及び操作レバー２６Ｂを有している。
【００３２】
突出部２６Ａは、ターンテーブル２２の後端部から上方に突出しており、後面視において略扇形状をなしている。突出部２６Ａには、後面視において傾動軸２５の軸心を中心とした円弧状に延びる長孔２６ａが形成されている。
【００３３】
操作レバー２６Ｂは、ユーザがホルダ３の傾動位置を変更及び固定する際に操作する部分であり、軸部２６Ｃと、レバー部２６Ｄとを有している。軸部２６Ｃは、前後方向に延びるとともに突出部２６Ａの長孔２６ａに挿通されている。軸部２６Ｃの前端には雄ネジが形成されており、軸部２６Ｃの前端はホルダ３の後下部に螺合されている。軸部２６Ｃは、ホルダ３の載置面２Ａに対する傾動動作に伴って、突出部２６Ａの長孔２６ａ内を移動可能である。レバー部２６Ｄは、軸部２６Ｃの後部に設けられており、軸部２６Ｃの径方向に延びている。
【００３４】
フェンス部２３は、図２に示されているように、左フェンス２３Ａ及び右フェンス２３Ｂを有している。左フェンス２３Ａは、左脚部２１Ｂの上面に接続されており、左右方向に延びている。左フェンス２３Ａの前面には、載置面２Ａと略直交する被当接面２３Ｃが規定されている。右フェンス２３Ｂは、右脚部２１Ｃの上面に接続されており、左右方向に延びている。右フェンス２３Ｂの前面には、載置面２Ａと略直交する被当接面２３Ｄが規定されている。被当接面２３Ｃ及び被当接面２３Ｄの前後方向の位置は略一致している。被切断材を切断加工する際には、左フェンス２３Ａの被当接面２３Ｃ及び右フェンス２３Ｂの被当接面２３Ｄに被加工材の一面を当接させることにより、安定した切断作業を行うことが可能となる。
【００３５】
図１及び２に示されているように、ホルダ３は、ターンテーブル２２の後部において傾動位置調整機構２６の前方に位置しており、上方に延びている。また、ホルダ３の下部は、傾動軸２５を介してターンテーブル２２の後部に接続されており、ホルダ３は傾動軸２５の軸心を中心として載置面２Ａ（ベース部２）に対して左右方向に傾動可能である。ホルダ３の後部には、螺合孔が形成されており、当該螺合孔には操作レバー２６Ｂの軸部２６Ｃが螺合している。
【００３６】
ホルダ３の傾動位置を所望の傾動位置に変更する場合には、まず、操作レバー２６Ｂのレバー部２６Ｄを後面視において反時計回りに回動させて軸部２６Ｃとホルダ３との螺合を緩ませ、ホルダ３を載置面２Ａに対して傾動可能な状態とする。その後、ホルダ３を所望の傾動位置まで傾動させ、レバー部２６Ｄを後面視において時計回りに回動させて、ホルダ３を当該所望の傾動位置に固定する。上記手順により、ユーザは、ホルダ３（切断部７）の傾動位置を所望の傾動位置に変更及び固定することができる、すなわち、切断部７に装着された切断刃Ｐと載置面２Ａとの角度を所望の角度に設定することができる。これにより、卓上丸鋸１を用いて、いわゆるベベルカッティングを行うことが可能となる。
【００３７】
図１及び図２に示されているように、切断部支持部４は、ホルダ３に支持されており、ホルダ３と一体に載置面２Ａに対して傾動可能である。切断部支持部４は、切断部７を載置面２Ａに対して近接及び離間するように揺動可能に且つ載置面２Ａに対して前後方向に移動可能に支持している。配線支持部６は、切断部支持部４に設けられており、照明部５から延出し照明部５に電力を供給するための配線９を支持している。照明部５は、切断部支持部４の前端部に設けられている。照明部５は、光源を有しており、載置面２Ａに向けて光を照射可能に構成されている。切断部支持部４、照明部５、配線支持部６、及び配線９の詳細については後述する。
【００３８】
切断部７は、切断刃Ｐを着脱可能に構成されており、装着された切断刃Ｐを後述の軸心Ａを中心に回転可能に支持可能である。上述したように、切断部７は、載置面２Ａ（ベース部２）に対して近接及び離間するように揺動可能に且つ載置面２Ａに対して前後方向に移動可能に切断部支持部４に支持されている。また、切断部７は、ホルダ３及び切断部支持部４と一体に載置面２Ａに対して左右方向に傾動可能である。切断部７は、第１ハウジング７１と、モータ８を収容する第２ハウジング７２と、カバー部７３と、ハンドル部７４と、出力シャフト部（不図示）と、動力伝達機構（不図示）と、を有している。
【００３９】
第１ハウジング７１は、切断部７の左部分を構成しており、左右方向の寸法が上下方向及び前後方向の寸法よりも小さい扁平形状をなしている。第１ハウジング７１の下部は、切断部支持部４に後述の揺動軸４２Ｃを介して接続されており、第１ハウジング７１は、載置面２Ａに近接及び離間するように揺動可能に切断部支持部４に支持されている。第１ハウジング７１の内部には、出力シャフト部、動力伝達機構、配線等が収容されている。また、第１ハウジング７１には、電源コード７１Ａ及びスイッチ部７１Ｂが設けられている。
【００４０】
出力シャフト部は、第１ハウジング７１内の前部に配置されており、左右方向に延びている。出力シャフト部の右端部は、切断刃Ｐを着脱可能に構成されており、第１ハウジング７１の右側壁の前部に形成された開口から右方に突出している。出力シャフト部は、切断刃Ｐが装着された状態で、切断刃Ｐを出力シャフト部の軸心Ａを中心に回転可能に支持する。
【００４１】
動力伝達機構は、複数のプーリや複数のベルト等を有する減速機構であり、第２ハウジング７２内に収容されたモータ８と出力シャフト部との間に設けられており、モータ８の回転力を出力シャフト部に伝達するように構成されている。
【００４２】
電源コード７１Ａは、第１ハウジング７１の後端部から後方に延出するコード部と、コード部の延出端部に設けられたコンセントプラグ（不図示）と、を有している。コンセントプラグは、モータ８の電力源となる交流電源Ｓに接続可能である。交流電源Ｓは、例えば、商用交流電源や交流発電装置等である。交流電源Ｓは、本発明における「モータの電力源」の一例である。コンセントプラグは、本発明における「第１電源接続部」の一例である。
【００４３】
スイッチ部７１Ｂは、図２に示されているように、第１ハウジング７１の上面に設けられており、操作スイッチ７１Ｃ及び信号出力回路（不図示）を有している。操作スイッチ７１Ｃは、照明部５のＯＮ状態とＯＦＦ状態と（すなわち、照明部５の光源へ電力が供給されている状態と当該光源へ電力が供給されていない状態と）を切り替えるための押しボタンスイッチである。
【００４４】
第２ハウジング７２は、図２に示されているように、第１ハウジング７１の右側壁の上部から右方向に延びる略円筒形状をなしている。第２ハウジング７２の内部においては、モータ８の図示せぬ回転シャフトが左右方向に延びるようにモータ８が配置されている。モータ８の図示せぬ回転シャフトは、第１ハウジング７１に収容されている動力伝達機構に連結されている。
【００４５】
カバー部７３は、第１ハウジング７１の右方且つ第２ハウジング７２の前方に位置しており、ソーカバー７３Ａ及び保護カバー７３Ｂを有している。ソーカバー７３Ａは、出力シャフト部に装着された状態の切断刃Ｐの一部分を覆うように側面視円弧形状をなしており、第１ハウジング７１の右側壁の前部に接続されている。保護カバー７３Ｂは、ソーカバー７３Ａに設けられており、ソーカバー７３Ａの外縁に沿って回動可能である。
【００４６】
ハンドル部７４は、ソーカバー７３Ａの上面に設けられており、側面視において略逆Ｕ字形状をなしている。ハンドル部７４は、切断部７を揺動させる際にユーザによって把持される部分であり、モータ８の駆動を制御するためのトリガ７４Ａを有している。また、ハンドル部７４の内部には、トリガ７４Ａに対する操作に機械的に連動してＯＮ状態とＯＦＦ状態との間で切り替わるスイッチ機構７４Ｂ（図３）が設けられている。スイッチ機構７４Ｂの詳細については後述する。
【００４７】
次に、図３を参照して卓上丸鋸１の電気的構成について説明する。図３は、卓上丸鋸１の電気的構成を示すブロック図であり、電源コード７１Ａのコンセントプラグが交流電源Ｓに接続されている状態を示している。卓上丸鋸１は、電気的構成要素として、前述のモータ８と、第１ライン９０と、第２ライン９１と、前述のスイッチ機構７４Ｂと、電圧変換部９２と、プラスライン９３と、マイナスライン９４と、前述の照明部５と、スイッチング素子９５と、前述のスイッチ部７１Ｂと、コントローラ９６と、を有している。交流電源Ｓは、本発明における「照明部の電力源」の一例である。
【００４８】
モータ８は、ブラシ付きモータであり、前述の回転シャフトと一体に回転するアーマチュアコイル８１と、ステータコイル８２と、ブレーキコイル８３と、を有している。
【００４９】
第１ライン９０及び第２ライン９１は、モータ８に電力を供給するための電路であり、第１ライン９０及び第２ライン９１の一部は、電源コード７１Ａのコード部内に収容されている。
【００５０】
スイッチ機構７４Ｂは、ＯＮ接点７４Ｃ、ＯＦＦ接点７４Ｄ、及びＣＯＭ接点７４Ｅを有している。スイッチ機構７４Ｂは、トリガ７４Ａに対して引操作が行われると（すなわち、トリガ７４ＡがＯＮされると）、ＯＮ接点７４ＣとＣＯＭ接点７４Ｅとが接続されたＯＮ状態となり、モータ８に電力供給するための電力供給回路が形成される。一方、スイッチ機構７４Ｂは、トリガ７４Ａに対する引操作が解除されると（すなわち、トリガ７４ＡがＯＦＦされると）、ＯＦＦ接点７４ＤとＣＯＭ接点７４Ｅとが接続されたＯＦＦ状態となり、モータ８にブレーキをかけて停止させるためのブレーキ用回路が形成される。
【００５１】
電圧変換部９２は、第１ライン９０及び第２ライン９１に接続されている。電圧変換部９２は、第１ライン９０と第２ライン９１との間に印加される交流電源Ｓの交流電圧を、整流平滑及び降圧して制御用電圧を生成する回路である。
【００５２】
プラスライン９３及びマイナスライン９４は、照明部５、コントローラ９６、及びスイッチ部７１Ｂに電力を供給するための電路である。プラスライン９３及びマイナスライン９４は、電圧変換部９２に接続されており、プラスライン９３とマイナスライン９４との間には電圧変換部９２が生成する制御用電圧が印加される。なお、マイナスライン９４は、図示せぬＧＮＤに接続されている。
【００５３】
照明部５は、プラスライン９３とマイナスライン９４との間にスイッチング素子９５と直列に接続されている。より詳細には、照明部５は、第１接続ライン９７によってプラスライン９３に接続され、第２接続ライン９８によってスイッチング素子９５に接続されている。
【００５４】
スイッチング素子９５は、例えば、ＦＥＴ等である。スイッチング素子９５のドレインは第２接続ライン９８によって照明部５に接続され、ソースはマイナスライン９４に接続され、ゲートはコントローラ９６に接続されている。スイッチング素子９５のゲートにコントローラ９６からＯＮ信号が入力されると、照明部５のＬＥＤに電力が供給され、照明部５はＯＮ状態となり載置面２Ａに向けて光を照射する。一方、スイッチング素子９５のゲートへのＯＮ信号の入力が停止されると、照明部５のＬＥＤへの電力供給が遮断され、照明部５はＯＦＦ状態となり光の照射を停止する。
【００５５】
スイッチ部７１Ｂは、プラスライン９３とマイナスライン９４との間に接続されており、スイッチ部７１Ｂの信号出力回路は、コントローラ９６に接続されている。信号出力回路は、操作スイッチ７１Ｃへの操作に応じてライトＯＮ信号及びライトＯＦＦ信号のいずれかをコントローラ９６に出力するように構成されている。より詳細には、信号出力回路は、スイッチ部７１Ｂの操作スイッチ７１Ｃが押圧される毎に、出力信号をライトＯＮ信号とライトＯＦＦ信号との間で切り替えるように構成されている。
【００５６】
コントローラ９６は、プラスライン９３とマイナスライン９４との間に接続されている。コントローラ９６は、例えばマイコンであり、スイッチ部７１Ｂの信号出力回路から出力されるライトＯＮ信号及びライトＯＦＦ信号に基づいて、照明部５のＯＮ状態及びＯＦＦ状態を制御するように構成されている。具体的には、コントローラ９６は、信号出力回路からライトＯＮ信号が出力されると、スイッチング素子９５にＯＮ信号を出力し、照明部５をＯＮ状態にして光を照射させる。一方、コントローラ９６は、信号出力回路からライトＯＦＦ信号が出力されると、スイッチング素子９５へのＯＮ信号の出力を停止し、照明部５をＯＦＦ状態にして光の照射を停止させる。
【００５７】
次に、切断部支持部４、照明部５、配線支持部６、及び配線９の詳細について説明する。
【００５８】
切断部支持部４は、第１支持部４１及び第２支持部４２を有している。図１に示されているように、第１支持部４１は、第１ロッド４１Ａと、第２ロッド４１Ｂと、連結部４１Ｃと、を有している。
【００５９】
第１ロッド４１Ａ及び第２ロッド４１Ｂは、パイプ材などの高剛性材料によって形成されており、ベース部２の載置面２Ａに平行且つ軸心Ａに直交する方向（本実施の形態においては、前後方向）に延びる中空の円筒形状を有している。第１ロッド４１Ａ及び第２ロッド４１Ｂは、上下方向に所定の間隔を空けて略平行に配置されており、第１ロッド４１Ａ及び第２ロッド４１Ｂの後端部は、ホルダ３に固定されている。また、第１ロッド４１Ａ及び第２ロッド４１Ｂの前後方向の長さは互いに略同一であり、載置面２Ａの前後方向の長さよりも短く構成されている。第１ロッド４１Ａ及び第２ロッド４１Ｂは、本発明における「２本の軸部材」の一例である。
【００６０】
連結部４１Ｃは、上下方向に延びており、連結部４１Ｃの後部には、第１ロッド４１Ａ及び第２ロッド４１Ｂの前端部がネジ等によって固定されている。言い換えると、第１ロッド４１Ａ及び第２ロッド４１Ｂは、連結部４１Ｃによって連結されている。
【００６１】
第２支持部４２は、図１及び図２に示されるように、摺動部４２Ａ及び揺動支持部４２Ｂを有している。摺動部４２Ａは、第２支持部４２の左部を構成しており、第１ロッド４１Ａ及び第２ロッド４１Ｂに跨るように設けられている。詳細には、摺動部４２Ａには、第１ロッド４１Ａ及び第２ロッド４１Ｂが挿通されており、摺動部４２Ａは、ホルダ３と連結部４１Ｃとの間を第１ロッド４１Ａ及び第２ロッド４１Ｂの上を摺動可能（すなわち、前後方向に摺動可能）に構成されている。
【００６２】
揺動支持部４２Ｂは、図２に示されているように、摺動部４２Ａから右下方に延びる部分であり、切断部７を揺動可能に支持している。より詳細には、図１及び図２に示されているように、揺動支持部４２Ｂは、左右方向に延びる揺動軸４２Ｃを有しており、揺動軸４２Ｃを介して切断部７が揺動支持部４２Ｂに接続されている。これにより、揺動支持部４２Ｂは、切断部７を揺動軸４２Ｃの軸心Ｂを中心として載置面２Ａ（ベース部２）に近接及び離間するように揺動可能に支持している。軸心Ｂは、本発明における「揺動軸心」の一例である。左右方向は、本発明における「第１方向」の一例である。
【００６３】
また、揺動軸４２Ｃには、切断部７を載置面２Ａから離間する方向（図１における時計回り方向）に付勢する図示せぬ付勢部材が設けられている。これにより、切断部７は、外力が加えられていない状態においては、付勢部材によって付勢され、切断部７の揺動可能範囲のうち最も上方の位置、すなわち、載置面２Ａから離間した位置（以下、「切断部７の上死点」と呼ぶ）で停止するように構成されている。また、切断部７が最も下方の位置（以下、切断部７の下死点と呼ぶ）まで揺動した状態においては、切断刃Ｐの下端部は載置面２Ａの左右方向の中央の位置に形成された溝部（不図示）の内部に位置するように構成されている。なお、図１及び図２は、切断部７が上死点に位置している状態を示している。
【００６４】
このように、切断部７を揺動可能に支持する第２支持部４２は、第１支持部４１に対して前後方向に摺動可能である。言い換えると、第１支持部４１は、第２支持部４２を介して切断部７を載置面２Ａ（ベース部２）に対して前後方向に移動可能に支持している。このような構成により、切断部支持部４は、切断部７を載置面２Ａに対して前後方向に移動可能且つ載置面２Ａに対して近接及び離間するように揺動軸４２Ｃの軸心Ｂを中心に揺動可能に支持している。前後方向は、本発明における「第３方向」の一例である。
【００６５】
照明部５は、光源としてＬＥＤを有するＬＥＤユニットであり、連結部４１Ｃの下端部の前部に設けられている。照明部５（より詳細には、照明部５のＬＥＤ）は、載置面２Ａに向けて照射光を所定の照射範囲で照射可能に構成されている。また、照明部５は、載置面２Ａと直交する方向（本実施形態においては、上下方向）において、揺動軸４２Ｃの軸心Ｂに関してベース部２と反対側に位置している。すなわち、照明部５は揺動軸４２Ｃの軸心Ｂよりも上方に位置している。上下方向は、本発明における「第２方向」の一例である。
【００６６】
ここで、照明部５の照射光の照射範囲について説明する。照明部５による照射範囲は、図１及び図２に示されているように、光軸ＲＯを中心とした略円錐形状で囲まれた領域である。なお、図１及び図２に示されている照射光ＲＦは、上記円錐形状の外周面を規定する照射光である。
【００６７】
光軸ＲＯは、照明部５から延びて載置面２Ａと交差する。より詳細には、照明部５の光軸ＲＯは、図１に示されているように、側面視においては載置面２Ａに対して直交しており、前後方向において照明部５と同じ位置で載置面２Ａと交差する。また光軸ＲＯは、図２に示されているように、前面視において傾動軸２５よりも左方の位置で載置面２Ａと交差する。
【００６８】
また、上記円錐形状を規定する照射光ＲＦは、側面視において、ベース部２の前端部よりも前方の位置とホルダ３よりも僅かに前方の位置とで載置面２Ａを含む平面と交差する。このため、前後方向における被照光領域（照射光によって照らされる領域）は、載置面２Ａの前後方向の略全範囲と対応している。また、前面視において、照射光ＲＦは載置面２Ａの右端部及び左端部において載置面２Ａと交差する。このため、左右方向における被照光領域は載置面２Ａの左右方向の略全範囲と対応している。
【００６９】
このような構成により、載置面２Ａ上に被加工材が載置されていない場合において、載置面２Ａのうちターンテーブル２２の上面２２Ａの略全てに対して照明部５からの光が照射されており、また、載置面２Ａのうちベース２１の左載置面２１Ｄ及び右載置面２１Ｅの略全てに対しても照明部５からの光が照射される。
【００７０】
なお、載置面２Ａ上に被加工材を載置した場合においても、被加工材は載置面２Ａと照明部５との間に位置するため、被加工材の上面に対して光が照射される。このとき、被加工材の上面における被照光領域には、ターンテーブル２２の溝部の位置と対応する領域が含まれる。これにより、被加工材を切断する際に、被加工材に対して切断刃Ｐが切り込んでいる部分を含む領域に対して光を照射可能となる。
【００７１】
また、ホルダ３が載置面２Ａに対して所定角度傾動したとき、照明部５も当該所定角度傾動する。このとき、光軸ＲＯと載置面２Ａとがなす角度は、当該所定角度だけ傾動する。なお、ホルダ３が傾動した場合であっても、照明部５の光は載置面２Ａ上の所定の領域を照射可能に構成されている。具体的には、図４に示されているように、ホルダ３の傾動角度が傾動可能な最大角度の場合であっても、被照光領域には、被加工材の上面におけるターンテーブル２２の溝部の位置と対応する領域が含まれるように構成されている。
【００７２】
さらに、照明部５が軸心Ｂに関してベース部と反対側に位置しているため、照明部５が軸心Ｂに関してベース部側に設けられる場合と比較して、照明部５の光の照射範囲を広くすることができるため、作業性を更に向上させることができる。
【００７３】
配線支持部６は、第１支持部４１に設けられており、前突起６１と、後突起６２と、棒部６３と、を有している。
【００７４】
前突起６１は、連結部４１Ｃの左壁から左方に突出しており、上下方向において、第１ロッド４１Ａと第２ロッド４１Ｂの間に位置している。
【００７５】
後突起６２は、ホルダ３の上部の左側面から左方に突出しており、左右方向及び上下方向において前突起６１と同じ位置に設けられている。
【００７６】
棒部６３は、棒状をなし、第１ロッド４１Ａと第２ロッド４１Ｂと同一方向（すなわち、前後方向）に延びている。棒部６３の前端部は、前突起６１の後端部に接続されており、棒部６３の後端部は、後突起６２の前端部に接続されている。言い換えると、棒部６３は、上下方向及び左右方向において前突起６１及び後突起６２と同じ位置で前後方向に延出しており、前突起６１及び後突起６２によって前側及び後側から固定されている。また、棒部６３は、上下方向において第１ロッド４１Ａと第２ロッド４１Ｂとの間に位置しており、棒部６３の左端は、第１ロッド４１Ａ及び第２ロッド４１Ｂの左端よりも左方に位置している。
【００７７】
配線９は、照明部５に電力を供給するための配線であり、図３における第１接続ライン９７及び第２接続ライン９８に対応している。配線９は、延出部９Ａと、巻回部９Ｂと、接続部９Ｃと、被収容部９Ｄと、を有している。
【００７８】
延出部９Ａは、第１ハウジング７１の左壁に形成された図示せぬ孔から外部に延出する部分である。延出部９Ａの一端は、第２ハウジング７２内に収容された配線から第１ハウジング７１内部を延びる接続配線と接続されており、延出部９Ａの他端は、巻回部９Ｂに接続されている。
【００７９】
巻回部９Ｂは、棒部５２の外周面に巻回された部分であり、複数の巻回部分９Ｅを有している。巻回部分９Ｅは、棒部６３に巻き付けられた１周分の配線である。前後に隣接する二つの巻回部分９Ｅは、図１の状態において、互いに当接した状態で棒部６３に巻回されている。複数の巻回部分９Ｅのうち、最も前方に位置する巻回部分９Ｅは、延出部９Ａの他端に接続されており、最も後方に位置する巻回部分９Ｅは、棒部６３に固定されている。巻回部９Ｂが外力によって前方に引っ張られると、複数の巻回部分９Ｅ、互いに隣接する２つの巻回部分９Ｅの間隔を広げながら、最も後方に位置する巻回部分９Ｅを除き、棒部６３上を前方に摺動するように構成されている。すなわち、巻回部９Ｂは、前後方向に伸縮可能に構成されている。
【００８０】
接続部９Ｃは、巻回部９Ｂと被収容部９Ｄとを接続する部分である。接続部９Ｃの一端は、巻回部９Ｂの巻回部分９Ｅのうちの最も後方に位置する巻回部分９Ｅに接続されており、接続部９Ｃの他端は、被収容部９Ｄに接続されている。接続部９Ｃの一端に近い部分は外部に露出しており、接続部９Ｃの他端に近い部分はホルダ３の上方後部に形成された図示せぬ孔を介してホルダ３内部に延びている。
【００８１】
被収容部９Ｄは、第２ロッド４１Ｂの内部空間に収容された部分である。被収容部９Ｄは、第２ロッド４１Ｂと略同じ長さを有し、前後方向に延びている。被収容部９Ｄの後端は、接続部９Ｃの他端と接続され、被収容部９Ｄの前端は、照明部５（詳細には、ＬＥＤ）と接続されている。外力によって複数の巻回部分９Ｅが棒部６３上を前方に摺動した場合であっても、最も後方に位置する巻回部分９Ｅが棒部６３に固定されているため被収容部９Ｄに当該外力は伝達されず、被収容部９Ｄの第２ロッド４１Ｂの内部における位置は変化しないように構成されている。
【００８２】
次に、図１及び図５を参照しながら、切断部７を載置面２Ａに近接させるように揺動させて被加工材を切断する切断作業及び卓上丸鋸１の動作について説明する。切断作業は、交流電源Ｓに電源コード７１Ａのコンセントプラグが接続され且つ切断部７が上死点に位置する状態（図１の状態）で開始される。なお、この状態において、照明部５はＯＦＦ状態である
【００８３】
上記状態において、作業者が操作スイッチ７１Ｃを押圧すると、信号出力回路はライトＯＮ信号をコントローラ１２に出力する。コントローラ１２はライトＯＮ信号を受け取るとスイッチング素子９５にＯＮ信号を出力して照明部５をＯＮ状態とする。これにより、照明部５は、光の照射を開始し、載置面２Ａに光が照射される。この状態において、作業者が載置面２Ａに被加工材を載置すると、被加工材の上面が光の照射を受ける。
【００８４】
次に、作業者が卓上丸鋸１の前方に立ち、ハンドル部７４を把持してトリガ７４Ａに対して引操作を行うと、スイッチ機構７４ＢのＯＮ接点７４ＣとＣＯＭ接点７４Ｅとが接続されたＯＮ状態となり、モータ８に電力が供給される。モータ８に電力が供給されると、モータ８の回転シャフトが回転を開始し、モータ８（回転シャフト）の回転力が動力伝達機構を介して出力シャフト部に伝達され、出力シャフト部及び出力シャフト部に装着された切断刃Ｐが軸心Ａを中心にして回転を開始する。
【００８５】
切断刃Ｐが回転した状態において、作業者が揺動軸４２Ｃの軸心Ｂを中心として切断部７を載置面２Ａ上の被加工材に近接させるように下死点まで揺動させると（図５）、切断刃Ｐの下部がターンテーブル２２の溝部に進入する。この揺動動作によって、被加工材は回転する切断刃Ｐによって切断され二つに分割される。
【００８６】
上述の切断作業においては、ターンテーブル２２の溝部の位置と対応する領域が被加工材の上面における被照光領域に含まれるため、切断刃Ｐが被加工材に切り込んでいる部分に光が照射されている。このため、作業者は被加工材の切断部位を確認しつつ切断作業を行うことができ、作業性が向上する。
【００８７】
また、上述の切断作業において切断部７が載置面２Ａ上の被加工材に対して近接するように揺動するとき、切断部支持部４及び切断部支持部４に設けられている照明部５の載置面２Ａに対する位置は変化していない。すなわち、本実施の形態による卓上丸鋸１を用いた上記切断作業においては、照明部５の光の照射範囲は変化せず、載置面２Ａ上に載置される被加工材上の被照光領域の範囲も変化しない。このような構成により、作業者が切断作業を行う際に、切断部７の揺動に伴う被照光領域の変化を抑制できるため、作業性を向上させることができる。
【００８８】
次に、図６を用いて、切断部７を載置面２Ａに対して前後方向に摺動させて切断する切断作業及び卓上丸鋸１の動作について説明する。この切断作業は、切断部７を揺動させるだけでは被加工材の一部のみしか切断できないような前後方向に長い被加工材を切断する場合に行われる。
【００８９】
上記切断作業を行う場合、図１の状態において、作業者は操作スイッチ７１Ｃを押圧して照明部５をＯＮ状態にして光を照射させ、載置面２Ａ上に被加工材を載置する。
【００９０】
次に、作業者は、切断部７を前方に引き付けるようにして外力を加える。このとき、第２支持部４２の摺動部４２Ａは、第１支持部４１の第１ロッド４１Ａ及び第２ロッド４１Ｂの上を摺動して前方に移動し、これに伴い、第２支持部４２に支持されている切断部７も上死点に位置した状態で前方に移動する（図６）。
【００９１】
その後、作業者は卓上丸鋸１の正面に立ち、ハンドル部７４を把持して、トリガ７４Ａに対して引操作を行って切断刃Ｐを回転させ、切断部７を上死点から下死点まで揺動させる。これにより、被加工材の前部が切断される。
【００９２】
次に、作業者は、切断部７を後方に押し出すようにして外力を加える。このとき、第２支持部４２の摺動部４２Ａは、第１支持部４１の第１ロッド４１Ａ及び第２ロッド４１Ｂの上を摺動して後方に移動し、これに伴い、第２支持部４２に支持されている切断部７も下死点に位置した状態で後方に移動する。この切断部７の後方への移動によって、前後方向に長い被加工材が切断され、２つに分割される。
【００９３】
上記切断作業においては、図６に示されるように、切断部７の前方への移動に伴い、切断部７から外部に延出している配線９の延出部９Ａも前方に移動し、延出部９Ａに接続されている巻回部９Ｂが前方に伸長する。また、切断部７の後方への移動に伴い、切断部７から外部に延出している配線９の延出部９Ａも後方に移動し、延出部９Ａに接続されている巻回部９Ｂが後方に圧縮される。
【００９４】
また、上記切断作業においては、切断部７が載置面２Ａ（ベース部２）に対して前方に移動するとき、切断部支持部４及び切断部支持部４に設けられている照明部５の載置面２Ａ（ベース部２）に対する位置は変化していない。すなわち、本実施の形態による卓上丸鋸１を用いた上記切断作業においては、照明部５の光の照射範囲は変化せず、被照光領域の範囲も変化しない。このような構成により、作業者が切断作業を行う際に、切断部７の揺動に伴う被照光領域の変化を抑制できるため、作業性を向上させることができる。
【００９５】
上述したように卓上丸鋸１は、切断刃Ｐを装着可能な切断部７と、被加工材を載置可能な載置面２Ａを有するベース部２と、切断部７を所定方向（本実施の形態においては、左右方向）に延びる軸心Ｂを中心に載置面２Ａに対して近接及び離間するように揺動可能に支持する切断部支持部４と、切断部支持部４に設けられ載置面２Ａに向けて光を照射可能な照明部５と、を備えている。さらに、照明部５は、載置面２Ａと直交する方向（本実施の形態においては、上下方向）において、軸心Ｂに関してベース部２と反対側に位置している。このような構成により、切断部７が軸心Ｂを中心に載置面２Ａに対して揺動する際に、照明部５と載置面２Ａとの位置関係が変化しないため、照明部５の光の照射範囲及び被照光領域が変化することを抑制し、作業性を向上させることができる。また、照明部５が軸心Ｂに関してベース部と反対側に位置することにより、照明部５が軸心Ｂに関してベース部側に設けられる場合と比較して、照明部５の光の照射範囲を広くすることができるため、作業性を更に向上させることができる。
【００９６】
また、卓上丸鋸１における切断部支持部４は、切断部７を載置面２Ａに対して軸心Ｂの延びる方向と交差する方向（本実施の形態においては、前後方向）に移動可能に支持する第１支持部４１を有している。
【００９７】
また、卓上丸鋸１における照明部５は、第１支持部４１に設けられている。これにより、切断部７が軸心Ｂを中心に載置面２Ａに対して揺動する際に、照明部５の光の照射範囲が変化することを抑制し、作業性を向上させることができる。
【００９８】
また、卓上丸鋸１の第１支持部４１は、軸心Ｂの延びる方向と交差する方向（本実施の形態においては、前後方向）に延びる２本の軸部材、第１ロッド４１Ａ及び第２ロッド４１Ｂと、第１ロッド４１Ａ及び第２ロッド４１Ｂを連結する連結部４１Ｃと、を有しており、第１ロッド４１Ａ及び第２ロッド４１Ｂは切断部７を載置面２Ａに対して軸心Ｂの延びる方向と交差する方向（本実施の形態においては、前後方向）に移動可能に支持している。さらに、照明部５は、連結部４１Ｃに設けられている。なお、本実施の形態における卓上丸鋸１においては、第１ロッド４１Ａ及び第２ロッド４１Ｂの２本の軸部材を備えているが、軸部材の数は２本に限定されず、２本以上であってもよい。このような構成により、軸部材が１本のみの場合と比較して安定して切断部７を支持することができる。
【００９９】
また、卓上丸鋸１は、照明部５に接続され照明部５に電力を供給するための配線９と、第１支持部４１に設けられ配線９を支持する配線支持部６と、をさらに備えている。
【０１００】
次に、本発明の第２の実施の形態による切断機の一例である卓上丸鋸１００について図７及び８を参照しながら説明する。なお、卓上丸鋸１００における卓上丸鋸１と同一の構成及び要素には、同一の符号を付して説明を省略し、異なる構成及び要素についてのみ説明する。また、卓上丸鋸１００における卓上丸鋸１と同一の構成及び要素は、卓上丸鋸１におけるそれらが奏する効果と同一の効果を奏する。
【０１０１】
図７及び図８に示されるように、第２の実施の形態の卓上丸鋸１００は、連結部４１Ｃ及びスイッチ部７１Ｂの代わりに、連結部１４１Ｃ及びスイッチ部１７１Ｂを備えている。また、卓上丸鋸１００は、卓上丸鋸１が備えている配線支持部６及び配線９を備えていない。
【０１０２】
連結部１４１Ｃには、電池収容空間１４１Ｄが画成されており、電池収容空間１４１Ｄには電池接続部１４１Ｅが収容されている。
【０１０３】
電池収容空間１４１Ｄは、連結部１４１Ｃの内部において第１ロッド４１Ａの前方の位置に形成されている。電池収容空間１４１Ｄは、照明部５に電力を供給する直流電源Ｃ（本実施の形態では、乾電池２本）を収容可能に構成されている。また、連結部１４１Ｃの上端部には、開閉可能な蓋（不図示）が設けられており、蓋を開けた状態で電池収容空間１４１Ｄが外部に露出するように構成されている。ユーザは、電池収容空間１４１Ｄに収容される直流電源Ｃを交換する際に、連結部１４１Ｃの蓋を開けて作業を行う。
【０１０４】
電池接続部１４１Ｅは、電池収容空間１４１Ｄに収容された直流電源Ｃと接続可能に構成されている。また、電池接続部１４１Ｅからは配線が延びており、当該配線は照明部５に接続されている。これにより、直流電源Ｃが電池接続部１４１Ｅに接続された状態において、直流電源Ｃから照明部５に電力を供給可能である。直流電源Ｃは、本発明における「照明部の電力源」の一例である。電池接続部１４１Ｅは、本発明における「第２電源接続部」の一例である。
【０１０５】
スイッチ部１７１Ｂは、操作スイッチ７１Ｃに替えて操作スイッチ１７１Ｃを有する。操作スイッチ１７１Ｃは、照明部５のＯＮ状態とＯＦＦ状態とを切り替えるための押しボタンスイッチであり、連結部１４１Ｃの前壁部に設けられている。
【０１０６】
このように、上述した卓上丸鋸１００においては、切断部７に装着された切断刃Ｐを回転駆動させるためのモータ８の電力源（すなわち、交流電源Ｓ）と照明部５の電力源（すなわち、直流電源Ｃ）とが異なっており、モータ８の電力源と接続可能なコンセントプラグと、照明部５の電力源と接続可能な電池接続部１４１Ｅと、を備えている。これにより、モータ８の電力源が使用不可能な場合（例えば、卓上丸鋸１の電源コード７１Ａのコンセントプラグを交流電源Ｓに接続していない状態で、卓上丸鋸１を運搬する場合等）でも、照明部５の電力源が接続されていれば、照明部５から光を照射することができ、作業性を向上させることができる。
【０１０７】
次に、本発明の第３の実施の形態による切断機の一例である卓上丸鋸２００について図９及び１０を参照しながら説明する。なお、卓上丸鋸２００における卓上丸鋸１と同一の構成及び要素には、同一の符号を付して説明を省略し、異なる構成及び要素についてのみ説明する。また、卓上丸鋸２００における卓上丸鋸１と同一の構成及び要素は、卓上丸鋸１におけるそれらが奏する効果と同一の効果を奏する。
【０１０８】
図９及び図１０に示されるように、第３の実施の形態の卓上丸鋸２００は、卓上丸鋸１が備えていた第２支持部４２に替えて第２支持部２４２を備え、配線９に替えて配線２０９を備えている。また、卓上丸鋸２００は、卓上丸鋸１が備えている配線支持部６を備えていない。
【０１０９】
第２支持部２４２は、突出部２４２Ｄを有している。突出部２４２Ｄは、摺動部４２Ａの下端部の前部から右方に延出し、正面視において略矩形をなす。突出部２４２Ｄの下部には照明部５が設けられている。
【０１１０】
配線２０９は、被収容部９Ｄに替えて被収容部２０９Ｄを有しており、巻回部９Ｂ及び接続部９Ｃを有していない。
【０１１１】
被収容部２０９Ｄは、摺動部４２Ａの内部空間に収容された部分である。被収容部２０９Ｄの一端は、延出部９Ａの他端と接続され、被収容部２０９Ｄの他端は、照明部５（詳細には、ＬＥＤ）と接続されている。
【０１１２】
本実施の形態の卓上丸鋸２００において、切断部７を載置面２Ａ（ベース部２）に対して前後方向に移動させる場合は、照明部５の載置面２Ａ（ベース部２）に対する位置は変化するが、切断部７を載置面２Ａ上の被加工材に対して近接するように揺動する場合は、切断部支持部４及び切断部支持部４に設けられている照明部５の載置面２Ａに対する位置は変化していない。すなわち、本実施の形態による卓上丸鋸２００を用いた切断作業においては、切断部７の揺動に起因した照明部５の光の照射範囲の変化はなく、切断部７の揺動の際に被照光領域も変化しない。このような構成により、作業者が切断作業を行う際に、切断部７の揺動に伴う被照光領域の変化を抑制できるため、作業性を向上させることができる。
【０１１３】
上述した卓上丸鋸２００における切断部支持部４は、第１支持部４１に対して軸心Ｂの延びる方向と交差する方向（本実施の形態においては、前後方向）に摺動可能に設けられた第２支持部４２をさらに有しており、第２支持部４２は、切断部７を軸心Ｂを中心に載置面２Ａに対して近接及び離間するように揺動可能に支持している。さらに、切断部７は、第２支持部４２が第１支持部４１に対して摺動することによって載置面２Ａに対して軸心Ｂの延びる方向と交差する方向（本実施の形態においては、前後方向）に移動し、照明部５は、第２支持部４２に設けられている。これにより、切断部７の揺動に伴う被照光領域の変化を抑制できるため、作業性を向上させることができる。
【０１１４】
以上、本発明の第１の実施の形態、第２の実施の形態、第３の実施の形態について詳細に説明したが、本発明による切断機は、上述した実施の形態に限定されず、特許請求の範囲に記載された発明の要旨の範囲内で種々の変更が可能である。
【０１１５】
例えば、また、第１の実施の形態による卓上丸鋸１においては、最も後方に位置する巻回部分９Ｅが棒部６３に固定されていたが、代わりに、最も前方に位置する巻回部分９Ｅが棒部６３に固定され、最も前方に位置する巻回部分９Ｅの一端が照明部５と接続され、最も後方に位置する巻回部分９Ｅの一端が延出部９Ａの左端と接続されていてもよい。この場合、摺動部４２Ａがホルダ３に近接する位置にあるとき、前後に隣接する二つの巻回部分９Ｅは互いの間隔が広がった状態となり、摺動部４２Ａが連結部４１Ｃに近接する位置にあるとき、前後に隣接する二つの巻回部分９Ｅは互いに当接した状態となり、被収容部９Ｄを備えないような構成となる。
【０１１６】
また、第１の実施の形態による卓上丸鋸１においては、被収容部９Ｄは第２ロッド４１Ｂの内部空間に収容されていたが、これに限定されず、第１ロッド４１Ａの内部空間に収容されていてもよい。
【０１１７】
また、第１の実施の形態による卓上丸鋸１においては、配線支持部６の棒部６３は、連結部４１Ｃの左方の位置で延出していたが、これに限定されず、左右方向において第１ロッド４１Ａ及び第２ロッド４１Ｂと略同じ位置で延出していてもよい。この場合、棒部６３は摺動部４２Ａを挿通するような構成となり、工具本体の左右方向の大型化を抑制することができる。
【０１１８】
また、第３の実施の形態における卓上丸鋸２００においては、照明部５は摺動部４２Ａに設けられていたが、これに限定されず、揺動支持部４２Ｂの前壁部に設けられていてもよい。
【符号の説明】
【０１１９】
１、１００、２００…卓上丸鋸  ２…ベース部  ２Ａ…載置面  ４…切断部支持部  ５…照明部  ６…配線支持部  ７…切断部  ８…モータ  ９、２０９…配線  ４１Ａ…第１ロッド  ４１Ｂ…第２ロッド  ４１Ｃ、１４１Ｃ…連結部  ４２、２４２…第２支持部  ４２Ｃ…揺動軸  １４１Ｅ…電池接続部
【図１】
2020185735.tif 000003
【図２】
2020185735.tif 000004
【図３】
2020185735.tif 000005
【図４】
2020185735.tif 000006
【図５】
2020185735.tif 000007
【図６】
2020185735.tif 000008
【図７】
2020185735.tif 000009
【図８】
2020185735.tif 000010
【図９】
2020185735.tif 000011
【図１０】
2020185735.tif 000012